(57)【要約】      （修正有）【課題】見た目が良好なディスプレイケースを提供する。【解決手段】前方及び上方を開口させた複数のケース本体２と、ケース本体の上方の開口に覆設する蓋体３とからなり、ケース本体の上方の開口と同一断面形状でケース本体の上方の開口に嵌入可能な嵌入体９をケース本体及び蓋体の下方に設け、複数のケース本体を上下に多段に重ね、上段側のケース本体の下方に設けられた嵌入体を下段側のケース本体の上方に形成された開口に嵌入させるとともに、蓋体の下方に設けられた嵌入体を最上段のケース本体の上方に形成された開口に嵌入させる。また、ケース本体の開口とケース本体及び蓋体の嵌入体を多角形断面形状とする。【選択図】図１
0003229671.tif 000002
【実用新案登録請求の範囲】
【請求項１】
前方及び上方を開口させた複数のケース本体と、ケース本体の上方の開口に覆設する蓋体とからなり、
ケース本体の上方の開口と同一断面形状でケース本体の上方の開口に嵌入可能な嵌入体をケース本体及び蓋体の下方に設け、
複数のケース本体を上下に多段に重ね、上段側のケース本体の下方に設けられた嵌入体を下段側のケース本体の上方に形成された開口に嵌入させるとともに、蓋体の下方に設けられた嵌入体を最上段のケース本体の上方に形成された開口に嵌入させたことを特徴とするディスプレイケース。
【請求項２】
前記ケース本体の開口とケース本体及び蓋体の嵌入体を多角形断面形状としたことを特徴とする請求項１に記載のディスプレイケース。
【考案の詳細な説明】
【技術分野】
【０００１】
本考案は、小物類等を視認することができる状態で収容することができるディスプレイケースに関するものである。
【背景技術】
【０００２】
従来より、小物類等を外側から視認することができる状態で収容することができる、いわゆる、見せる収納のアイテムの一つとして、ディスプレイケースが利用されている。
【０００３】
従来のディスプレイケースとしては、特許文献１に開示されているように、ケース本体と蓋体とからなるケースを上下に多段に重ね、ケース本体の下方に形成した凹部に蓋体の上方に形成した凸部を挿入するような構成となっている。
【先行技術文献】
【特許文献】
【０００４】
【特許文献１】特開２０１４−４０１９号公報
【考案の概要】
【考案が解決しようとする課題】
【０００５】
上記従来のディスプレイケースでは、各ケース本体に蓋体を覆設した状態で上下に多段に重ねる必要があるために、段数分の蓋体が必要となり、全長が長くなるばかりではなく、各ケース本体に収容した小物類等の上下の間隔が間延びした状態となって、見た目が良く無いといった問題がある。
【課題を解決するための手段】
【０００６】
そこで、請求項１に係る本考案では、ディスプレイケースにおいて、前方及び上方を開口させた複数のケース本体と、ケース本体の上方の開口に覆設する蓋体とからなり、ケース本体の上方の開口と同一断面形状でケース本体の上方の開口に嵌入可能な嵌入体をケース本体及び蓋体の下方に設け、複数のケース本体を上下に多段に重ね、上段側のケース本体の下方に設けられた嵌入体を下段側のケース本体の上方に形成された開口に嵌入させるとともに、蓋体の下方に設けられた嵌入体を最上段のケース本体の上方に形成された開口に嵌入させることにした。
【０００７】
また、請求項２に係る本考案では、前記請求項１に係る本考案において、前記ケース本体の開口とケース本体及び蓋体の嵌入体を多角形断面形状とすることにした。
【考案の効果】
【０００８】
そして、本考案では、以下に記載する効果を奏する。
【０００９】
すなわち、本考案では、ディスプレイケースにおいて、前方及び上方を開口させた複数のケース本体と、ケース本体の上方の開口に覆設する蓋体とからなり、ケース本体の上方の開口と同一断面形状でケース本体の上方の開口に嵌入可能な嵌入体をケース本体及び蓋体の下方に設け、複数のケース本体を上下に多段に重ね、上段側のケース本体の下方に設けられた嵌入体を下段側のケース本体の上方に形成された開口に嵌入させるとともに、蓋体の下方に設けられた嵌入体を最上段のケース本体の上方に形成された開口に嵌入させることにしているために、間に蓋体を挟むことなく複数のケース本体を直接上下に多段に重ねることができ、ディスプレイケースの全長を低く抑えることができるとともに、各ケース本体に収容した小物類等が適度な間隔で上下に収容されて見た目を良好なものとすることができる。
【００１０】
特に、前記ケース本体の開口とケース本体及び蓋体の嵌入体を多角形断面形状とすることで、開口及び嵌入体の角部によって各ケース本体の回転ずれを防止することができる。
【図面の簡単な説明】
【００１１】
【図１】本考案に係るディスプレイケースを示す斜視図。
【図２】ケース本体を示す正面図（ａ）、右側面図（ｂ）。
【図３】同平面図（ａ）、底面図（ｂ）。
【図４】同右側面断面図（ａ）、背面図（ｂ）。
【考案を実施するための形態】
【００１２】
以下に、本考案に係るディスプレイケースの具体的な構成について、図面を参照しながら説明する。
【００１３】
図１に示すように、ディスプレイケース１は、前方を開口させた複数のケース本体２を上下に多段に重ねるとともに、最上段のケース本体２に蓋体３を覆設している。
【００１４】
このディスプレイケース１は、各段のケース本体２に前方の開口から小物類等を収容することができ、各ケース本体２の前方の開口から収容した小物類を視認することができる。
【００１５】
各ケース本体２は、図２〜図４に示すように、矩形平板状の底板４の左右端部に矩形平板状の左右の側壁5,6を取付けるとともに、底板４の後端部に矩形平板状の後壁７を取付け、左右の側壁5,6の前端上部に棒状の前梁８を取付けている。
【００１６】
これにより、各ケース本体２は、前方に開口を形成するとともに、上方にも側壁5,6と後壁７と前梁８とで囲まれる開口を形成している。
【００１７】
また、各ケース本体２は、底板４の下部に、上方に形成した開口と同一水平断面形状の嵌入体９を開口と対向させた位置に取付けている。
【００１８】
これにより、各ケース本体２を上下に多段に重ねる際に、上段側のケース本体２の嵌入体９を下段側のケース本体２の上方の開口に嵌入させることができる。
【００１９】
蓋体３は、図１及び図４（ａ）に示すように、矩形板状の天板10の下部に、各ケース本体２の上方に形成した開口と同一水平断面形状の嵌入体11を取付けている。天板10の嵌入体11の取付位置は、各ケース本体２の底板４の嵌入体９の取付位置と同一としている。
【００２０】
これにより、蓋体３の嵌入体11を最上段のケース本体２の上方の開口に嵌入させることができる。
【００２１】
各ケース本体２の上方に形成した開口と各ケース本体２及び蓋体３の下方に設けた嵌入体9,11は、同一水平断面形状であればよい。この水平断面形状を多角形断面形状とした場合には、開口及び嵌入体9,11の角部が当接することによって、上下に重ねた各ケース本体２が回転してずれてしまうのを防止することができる。一方、水平断面形状を円形断面形状とした場合には、上下に重ねた各ケース本体２をそれぞれ水平回転させて各ケース本体２の前方の開口の向きを変えることができる。
【００２２】
嵌入体9,11の厚みは、各ケース本体２の前梁８の厚みと同一かそれ以下の厚みとすることで、前方から目視した際に嵌入体9,11が見づらくなり見た目を良好なものとすることができる。
【００２３】
また、デザインや取出しを良好なものとするために、側壁5,6に切欠や貫通孔を形成したり、後壁７に貫通孔を形成してもよい。
【００２４】
また、各ケース本体２の高さは、同一であってもよく、収容する様々な小物類等に対応できるように高さを異ならせてもよい。
【００２５】
以上に説明したように、上記ディスプレイケース１は、前方及び上方を開口させた複数のケース本体２と、ケース本体２の上方の開口に覆設する蓋体３とからなり、ケース本体２の上方の開口と同一断面形状でケース本体２の上方の開口に嵌入可能な嵌入体9,11をケース本体２及び蓋体３の下方に設け、複数のケース本体２を上下に多段に重ね、上段側のケース本体２の下方に設けられた嵌入体９を下段側のケース本体２の上方に形成された開口に嵌入させるとともに、蓋体３の下方に設けられた嵌入体11を最上段のケース本体２の上方に形成された開口に嵌入させる構成となっている。
【００２６】
そのため、上記構成のディスプレイケース１では、間に蓋体３を挟むことなく複数のケース本体２を直接上下に多段に重ねることができ、ディスプレイケース１の全長を低く抑えることができるとともに、各ケース本体２に収容した小物類等が適度な間隔で上下に収容されて見た目が良好なものとすることができる。
【００２７】
また、上記ディスプレイケース１は、ケース本体２の開口とケース本体２及び蓋体３の嵌入体9,11を多角形断面形状とする構成となっている。
【００２８】
そのため、上記構成のディスプレイケース１では、開口及び嵌入体9,11の角部によって各ケース本体２の回転ずれを防止することができる。
【符号の説明】
【００２９】
１  ディスプレイケース                    ２  ケース本体
３  蓋体                                  ４  底板
5,6  側壁                                 ７  後壁
８  前梁                                  ９  嵌入体
10  天板                                  11  嵌入体
【図１】
0003229671.tif 000003
【図２】
0003229671.tif 000004
【図３】
0003229671.tif 000005
【図４】
0003229671.tif 000006